(57)【特許請求の範囲】
【請求項１】
ドアの外側に設置される外側プレート１０と、ドアの内側に設置される内側プレート１２と、前記外側プレート１０から突出しながら、Ｌ形状の金属材質で形成される外側取手１４と、前記外側プレート１０の外側取手１４から下部に所定間隔をおいて設置されるキー挿入口１６と、前記内側プレート１２から突出するＬ形状の内側取手１８とで形成されるドア用ロック装置において、
前記内側プレート１２に設置されて室内の照度を検出する照度検出センサー２０と、
前記外側プレート１０に設置されて人体から放射される赤外線を検出する赤外線検出センサー２６と、
前記照度検出センサー２０により検出された照度検出信号を受信して、内部に既保存された基準照度データと比べて照度が暗い場合、発光制御信号を送信すると同時に、前記赤外線検出センサー２６により人体から放射される赤外線を検出した場合に発光制御信号を送信するマイクロプロセッサー２２と、
前記マイクロプロセッサー２２から出力される発光制御信号を受信して、前記外側プレート１０に設置された第１発光ダイオード３１を発光させたりまたは内側プレート１２に設置された第２発光ダイオード３３を発光させたりするように電源を出力する発光ダイオード駆動部２４と、
前記外側プレート１０の背面に設置されて、前記第１発光ダイオード３１から発光される光を外部に放射するように透明または半透明の高強度合成樹脂またはクリスタル材質で形成された第１光ガイド３１ａと、
前記内側プレート１２の背面に設置されて、前記第２発光ダイオード３３から発光される光を室内に放射するように透明または半透明の高強度合成樹脂またはクリスタル材質で形成された第２光ガイド３３ａをさらに含むことを特徴とするドア用ロック装置。
【請求項２】
前記第１光ガイド３１ａ及び第２光ガイド３３ａは透明または半透明の高強度合成樹脂またはクリスタル材質で形成されたことを特徴とする、請求項１に記載のドア用ロック装置。

【発明の詳細な説明】
【技術分野】
【０００１】
本発明はドア用ロック装置に関し、特に夜間に室内の特定位置へ容易に移動することができ、室内照度が暗い時に室内及び室外側から見えるドアが所定の明るさで点灯でき、キーボード、キー挿入口を容易に見つけることができるドア用ロック装置に関する。
【背景技術】
【０００２】
従来から広く用いられているドア用ロック装置は、ドアに設置されてロックした時に外側からドアを開くことができないようにするロック装置の機能だけを有している。
【発明の概要】
【発明が解決しようとする課題】
【０００３】
従来のドア用ロック装置は夜間の就寝中には暗くて位置を容易に把握できないため電灯を付けなければならないため、他の人に不便を与える問題があった。
【０００４】
また、目を覚めた人が就寝中の周囲の人に不便を与えないために電灯を点灯せずにお手洗いや厨房などに行く時や、物を探す場合には壁やドアにぶつかってケガをする恐れもあって、倉庫などに人が入ったりまたはビルの屋上に人がいたりする場合に出入口が自動ロックされて出られなくなるなどの多様な問題があった。そして、火災、または停電時に非常出入口を探すことができないだけでなく、玄関などに用いられるドア用ロック装置は直接ドアを触らないとロックの可否を確認できない問題もあった。
【０００５】
そこで、本発明は、上記問題に鑑みてなされたものであり、本発明の目的とするところは、夜間に室内の特定位置へ容易に移動できるように室内照度が暗い場合に室内及び室外を所定の明るさで点灯できるドア用ロック装置を提供することにある。
【０００６】
また、本発明の第２の目的は倉庫内または屋上に人がいることを表示できるドア用ロック装置を提供することである。
【０００７】
また、本発明の第３の目的はキーボード、キー挿入口を容易に見つけられるドア用ロック装置を提供することである。
【０００８】
また、本発明の第４の目的は玄関などに用いられるドア用ロック装置の場合、ロックの可否を容易に確認できるドア用ロック装置を提供することである
【課題を解決するための手段】
【０００９】
上記課題を解決するために、本発明のある観点によれば、ドアの外側に設置される外側プレート１０と、ドアを間に挟んでドアの内側に設置される内側プレート１２と、前記外側プレート１０から所定距離だけ上部に突出するＬ形状の外側取手１４と、前記外側プレート１０の外側取手１４から下部に所定間隔をおいて設置されるキー挿入口１６と、前記内側プレート１２から突出するＬ形状の内側取手１８とで形成されるドア用ロック装置において、前記内側プレート１２に設置されて室内の照度を検出する照度検出センサー２０と、前記外側プレート１２に設置され、人体から放射される赤外線を検出する赤外線検出センサー２６と、前記照度検出センサー２０により検出された照度検出信号を受信して、内部に既保存された基準照度データと比べて照度が暗い場合、発光制御信号を送信すると同時に、前記赤外線検出センサー２６により人体から放射される赤外線を検出した場合に発光制御信号を送信するマイクロプロセッサー２２と、前記マイクロプロセッサー２２から出力される発光制御信号を受信して、前記内側取手１８または前記外側取手１４のうちいずれか一つに内蔵された前記発光ダイオード２１を発光させるように電源を出力する発光ダイオード駆動部２４と、前記外側プレート１０に設置されて暗証番号または暗証番号変更信号を前記マイクロプロセッサー２２に入力するキーボード２８と、ロック時にロックされたことが分かるようにメロディが出力され、ロック解除時にロック解除されたことが分かるようにメロディが出力されると同時に、ロックされなかったことを短くて速いメロディで警報する音響出力手段２９をさらに含み、前記内側取手１８及び外側取手１４は前記発光ダイオード２１の光が透過するように透明体または半透明体の高強度合成樹脂で形成され、前記照度検出センサー２０はフォトセルであることを特徴とするドア用ロック装置が提供される。
【００１０】
また、上記課題を解決するために、本発明の別の観点によれば、ドアの外側に設置される外側プレート１０と、ドアの内側に設置される内側プレート１２と、前記外側プレート１０から所定距離だけ上部に突出しながら、Ｌ形状の金属材質で形成される外側取手１４と、前記外側プレート１０の外側取手１４から下部に所定間隔をおいて設置されるキー挿入口１６と、前記内側プレート１２から突出するＬ形状の内側取手１８とで形成されるドア用ロック装置において、前記内側プレート１２に設置されて室内の照度を検出する照度検出センサー２０と、前記外側プレート１２に設置されて人体から放射される赤外線を検出する赤外線検出センサー２６と、前記照度検出センサー２０により検出された照度検出信号を受信して、内部に既保存された基準照度データと比べて照度が暗い場合、発光制御信号を送信すると同時に、前記赤外線検出センサー２６により人体から放射される赤外線を検出した場合に発光制御信号を送信するマイクロプロセッサー２２と、前記マイクロプロセッサー２２から出力される発光制御信号を受信して、前記外側プレート１０に設置された第１発光ダイオード３１を発光させたりまたは内側プレート１２に設置された第２発光ダイオード３３を発光させたりするように電源を出力する発光ダイオード駆動部２４と、前記外側プレート１０の背面に設置されて、前記第１発光ダイオード３１から発光される光を外部に放射するように透明または半透明の高光度合成樹脂またはクリスタル材質で形成された第１光ガイド３１ａと、前記内側プレート１２の背面に設置されて、前記第２発光ダイオード３３から発光される光を室内に放射するように透明または半透明の高光度合成樹脂またはクリスタル材質で形成された第２光ガイド３３ａをさらに含むことを特徴とするドア用ロック装置が提供される。
【００１１】
前記第１光ガイド３１ａ及び第２光ガイド３３ａは透明または半透明の高光度合成樹脂またはクリスタル材質で形成されていてもよい。
【発明の効果】
【００１２】
以上説明したように本発明のドア用ロック装置によれば、夜間に室内の特定位置へ容易に移動できるように室内照度が暗い時に室内及び室外を所定の明るさで点灯でき、火災などの緊急状況の発生時に出入口を容易に見つけられるようにし、暗い室内で特定位置に移動したりまたは特定の物を探すためにそれを探る必要がないため、ケガをする恐れが全くなく、また倉庫用ロック装置が自動でロックされたりまたは屋上出入口が自動でロックされても倉庫内または屋上に人がいることを表示でき、夜間にキーボードまたはキー挿入口を容易に見つけることができ、ロック状態を音響メロディの出力または発光ダイオード点灯などで容易に識別できる効果がある。
【図面の簡単な説明】
【００１３】
【図１】本発明の第１実施形態によるドア用ロック装置の全面斜視図である。
【図２】図１に示したドア用ロック装置の背面図である。
【図３】本発明の第１実施形態によるドア用ロック装置を概略的に示した回路ブロック図である。
【図４】本発明の第２実施形態によるドア用ロック装置の全面斜視図である。
【図５】図４に示したドア用ロック装置の背面図である。
【図６】本発明の第２実施形態によるドア用ロック装置を概略的に示した回路ブロック図である。
【図７】本発明の第３実施形態によるドア用ロック装置の全面斜視図である。
【図８】図７に示したドア用ロック装置の背面図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
図１は本発明の第１実施形態によるドア用ロック装置を概略的に示した全面斜視図であり、図２は図１に示したドア用ロック装置の背面図であり、図３は本発明の第１実施形態によるドア用ロック装置を概略的に示した回路ブロック図である。
【００１６】
図１〜図３に示したように本発明の第１実施形態によるドア用ロック装置は、ドア（図示せず）の外側に設置される外側プレート１０と、ドアの内側に設置される内側プレート１２と、前記外側プレート１０から所定距離だけ上部に突出しながら、Ｌ形状の透明体または半透明体で形成された外側取手１４と、前記外側プレート１０の外側取手１４から下部に所定間隔をおいて設置されたキー挿入口１６と、前記内側プレート１２に突出されたＬ形状の内側取手１８で形成された通常のドア用ロック装置において、前記内側プレート１２に設置されて室内の照度を検出する照度検出センサー２０と、夜間に前記キー挿入口１６を容易に見つけるように前記外側プレート１２に設置されて人体から放射される赤外線を検出する赤外線検出センサー２６と、前記照度検出センサー２０により検出された照度検出信号を受信して内部に既保存された基準照度データと比べて照度が暗い場合に発光制御信号を送信すると同時に、前記赤外線検出センサー２６により人体から放射される赤外線を検出した場合に発光制御信号を送信するマイクロプロセッサー２２と、前記マイクロプロセッサー２２から出力される発光制御信号を受信して前記内側取手１８または前記外側取手１４のうちいずれか一つに内蔵された前記発光ダイオード２１を発光させるように電源を出力する発光ダイオード駆動部２４と、前記外側プレート１０に設置されて暗証番号または暗証番号変更信号を前記マイクロプロセッサー２２に入力するキーボード２８と、ロック時にロックされたことが分かるようにメロディが出力され、ロック解除時にロック解除されたことが分かるようにメロディが出力されると同時に、ロックされなかった時には短くて速いメロディで警報する音響出力手段２９をさらに含んでいる。
【００１７】
前記発光ダイオード２１は単色または多数の色が点灯されるように構成されている。
【００１８】
図３において未説明符号３０は前記マイクロプロセッサー２２及びドア装置の駆動に必要な動作電源を供給するバッテリーである。
【００１９】
前記内側取手１８及び前記外側取手１４は前記発光ダイオード２１の光が透過できるように高強度合成樹脂で形成され、透明体または半透明体で形成されたものを用いるのが望ましい。
【００２０】
前記照度検出センサー２０はフォトセルを用いるのが望ましい。
【００２１】
前記音響出力手段２９はスピーカーまたは機械的に音響を出力するオルゴールなどを用いてもよい。
【００２２】
次に、このように構成された本発明の第１実施形態によるドア用ロック装置の作用及び効果について説明する。
【００２３】
まず、通常のロック動作について説明すると、外出する場合には室内に前記内側プレート１２に突出設置されたＬ形状の内側取手１８を時計回りに回転させると通常のロック装置のように図示していないドアフレームに結合されていたロック突起（図示せず）が本発明の第１実施形態によるドア用ロック装置側に後進しながらロック装置のロックが解除されたことを知らせる和やかで長いメロディが前記音響出力手段２９から出力され、これと同時に前記内側取手１８及び前記外側取手１４に設置された発光ダイオード２１が点灯されるとドアを開けて外に出ることができる。
【００２４】
このようにドアを開けて外に出た後にドアを閉じるとロック突起がドアフレーム側に突出しながら、本発明の第１実施形態によるドア用ロック装置がロックされる。
【００２５】
この時にロック装置がロックされたことが分かるように音響出力手段２９を通して和やかで長いメロディが出力されて、これと同時に前記内側取手１８及び前記外側取手１４に設置された発光ダイオード２１が点灯された後、ロックされた状態で所定時間が経過すると点灯された発光ダイオード２１が消灯される。
【００２６】
前記説明において、内側取手１８を時計方向に回転させても本発明の第１実施形態によるドア用ロック装置のロックが正常に解除されない場合には短くて速いメロディを繰り返し前記音響出力手段２９から出力するため、内側取手１８を室内側に引張って時計回りに回転させて正常にロック状態を解除することができ、またドアを閉じたにもかかわらず本発明の第１実施形態によるドア用ロック装置がロックされない場合にも短くて速いメロディを繰り返し前記音響出力手段２９から出力したり前記内側取手１８または前記外側取手１４に設置された発光ダイオード２１が点滅（例えば赤色で点滅）したりするため、ドアを再び閉じると本発明の第１実施形態によるドア用ロック装置を正確にロックできる。
【００２７】
一方、外出から帰宅して本発明の第１実施形態によるドア用ロック装置に接近すると、前記外側プレート１０に設置された赤外線感知センサー２６が人体から放射される赤外線を検出して、その検出信号を前記マイクロプロセッサー２２に出力する。
【００２８】
赤外線感知センサー２６からの検出信号により前記マイクロプロセッサー２２は前記発光ダイオード駆動部２４に発光制御信号を送信するため、前記発光ダイオード駆動部２４から前記発光ダイオード２１に電源を印加して前記発光ダイオード２１が発光されることによって、前記発光ダイオード２１から外部に光が放射される。
【００２９】
前記発光ダイオード２１が発光されることによって、本発明の第１実施形態によるドア用ロック装置のキー挿入口１６にキーを容易に挿入することができる。
【００３０】
つまり、前記発光ダイオード２１が発光された状態でロックを解除するためには、前記外側プレート１０に設置されているキーボード２８に暗証番号を入力するとロック状態が解除されて和やかで長い音響が音響出力手段２９から出力され、これと同時に前記内側取手１８または前記外側取手１４内に内蔵された発光ダイオード２１が点灯しながらロック状態が解除されたことを知らせるため、前記外側プレート１０に突出設置された外側取手１４を時計回りに回転させてドアを開けて室内に入ることができる。
【００３１】
一方、前記キー挿入口１６内に図示していないキーを挿入してロック解除方向（例えば、時計回り）に回転するとロック状態が解除され、この時にもロック状態が解除されながら和やかで長い音響が出力されると同時に、前記内側取手１８または前記外側取手１４内に内蔵された発光ダイオード２１が点灯しながらロック状態が解除されたことを知らせるため、前記外側プレート１０に突出設置された外側取手１４を時計回りに回転させてドアを開けて室内に入ることができる。
【００３２】
室内に入った後にドアを閉めると本発明の第１実施形態によるドア用ロック装置がロックされた後に、所定時間が経過すると前記外側プレート１０に設置された発光ダイオード２１が消灯される。
【００３３】
前記説明において、前記キーボード２８に暗証番号を誤って入力したりまたはキー挿入口１６内に模造されたキー（図示せず）を挿入して時計回りまたは反時計回りに回したりする場合には短くて速いメロディが大きく出力されて周囲の人々に知らせる。
【００３４】
夜間に就寝するために室内のすべての電灯を消すと、前記内側プレート１２に設置された照度検出センサー２０により室内の照度を検出して検出された照度信号を前記マイクロプロセッサー２２に出力するため、前記マイクロプロセッサー２２で前記照度検出センサー２０により検出された照度検出信号と前記マイクロプロセッサー２２に既保存された基準照度データと比べて室内の照度が暗い場合に、前記マイクロプロセッサー２２から発光制御信号を前記発光ダイオード駆動部２４に伝送するため、前記発光ダイオード駆動部２４では前記発光ダイオード２１に電源を印加して、前記内側取手１８または外側取手１４内に設置された前記発光ダイオード２１を発光させて、透明体または半透明体で構成された内側取手１８または外側取手１４が所定の明るさで点灯する。
【００３５】
従って、本発明の第１実施形態によるドア用ロック装置は、夜間に室内の特定位置に容易に移動できるように室内照度が暗い場合に室内及び室外を所定の明るさで発光ダイオード２１を点灯し、火災などの緊急事態発生時に出入口を容易に見つけるようにするだけでなく、眠りから覚めた人が暗い室内で特定位置に移動したり特定の物を探したりする時に壁などを探る必要がないため、ケガをする恐れが全くない。
【００３６】
そして、夜間に外から帰宅した場合には、前記外側プレート１０に設置された赤外線検出センサー２６により人体から放射される赤外線を検出して赤外線検出信号を前記マイクロプロセッサー２２に入力すると、前記マイクロプロセッサー２２から前記発光ダイオード駆動部２４に発光制御信号を送信して前記発光ダイオード駆動部２４から前記発光ダイオード２１に電源を印加して、前記外側取手１４または前記内側取手１８内に設置された発光ダイオード２１が発光される。
【００３７】
これにより前記外側取手１４は高強度合成樹脂で透明体または半透明体で形成されるため、前記発光ダイオード２１の光が外部に透過されて本発明の第１実施形態によるドア用ロック装置を特定照度に照らしてくれるため、前記外側プレート１０に設置されているキーボード２８及びキー挿入口１６を容易に見つけることができる。
【００３８】
また、本発明の第１実施形態によるドア用ロック装置は、倉庫用ロック装置が自動にロックされたりまたは屋上出入口が自動にロックされたりしても倉庫内または屋上に人がいることを表示でき、夜間にもキーボードまたはキー挿入口を容易に見つけることができる。
【００３９】
前記説明において、前記照度検出センサー２０を用いて夜間に室内の照度を検出して暗い場合に前記マイクロプロセッサー２２から出力される発光制御信号を前記発光ダイオード駆動部２４から出力される電源によって発光ダイオード２１を発光させることを例として挙げて説明したが、本発明はこれに限定されるのではなく、例えば手動でオン／オフして、前記発光ダイオード２１に前記バッテリー３０の電源を印加して発光させるのも本発明の概念に含まれるのは当然である。
【００４０】
前記説明において、前記内側プレート１２にＬ形状の内側取手１８が突出形成されたドア用ロック装置を例として説明したが、本発明はこれに限定されるのではなく、例えばシリンダータイプのドア用ロック装置にも適用できる。
【００４１】
本発明の第２実施形態によるドア用ロック装置について添付図を参照して詳細に説明する。
【００４２】
図４は本発明の第２実施形態によるドア用ロック装置の全面斜視図であり、図５は図４に示したドア用ロック装置の背面図であり、図６は本発明の第２実施形態によるドア用ロック装置を概略的に示した回路ブロック図である。本発明の第２実施形態によるドア用ロック装置を説明に当たり、本発明の第１実施形態によるドア用ロック装置の各構成部品と同じ部分については同じ符号を付けて重複する説明は省略する。
【００４３】
図４〜図６に示したように本発明の第２実施形態によるドア用ロック装置は、図示していないドアの外側に設置される外側プレート１０と、ドアの内側に設置される内側プレート１２と、前記外側プレート１０から所定距離だけ上部に突出しながらＬ形状の金属材質（非鉄金属材質を含む）形成された外側取手１４と、前記外側プレート１０の外側取手１４から下部に所定間隔をおいて設置されたキー挿入口１６と、前記内側プレート１２に突出されたＬ形状の内側取手１８で形成された通常のドア用ロック装置において、前記内側プレート１２に設置されて室内の照度を検出する照度検出センサー２０と、夜間に前記キー挿入口１６を容易に探せるように前記外側プレート１２に設置されて人体から放射される赤外線を検出する赤外線検出センサー２６と、前記照度検出センサー２０により検出された照度検出信号を受信して内部に既保存された基準照度データと比べて照度が暗い場合に発光制御信号を送信すると同時に前記赤外線検出センサー２６により人体から放射される赤外線を検出した場合に発光制御信号を送信するマイクロプロセッサー２２と、前記マイクロプロセッサー２２から出力される発光制御信号を受信して前記外側プレート１０に設置された第１発光ダイオード３１を発光させたりまたは内側プレート１２に設置された第２発光ダイオード３３を発光させたりするように電源を出力する発光ダイオード駆動部２４と、前記外側プレート１０の背面に設置されて前記第１発光ダイオード３１から発光される光を外部に放射されるように透明または半透明の高光度合成樹脂またはクリスタル材質で形成された第１光ガイド３１ａと、前記内側プレート１２の背面に設置されて前記第２発光ダイオード３３から発光される光を室内に放射されるように透明または半透明の高光度合成樹脂またはクリスタル材質で形成された第２光ガイド３３ａをさらに含んでいる。
【００４４】
次に、このように構成された本発明の第２実施形態によるドア用ロック装置の作用及び効果について説明する。
【００４５】
まず、通常のロック動作を説明すると、外出する場合には室内で前記内側プレート１２に突出設置されたＬ形状の内側取手１８を時計回りに回転すると通常のロック装置のように図示していないドアフレームに結合されていたロック突起（図示せず）が本発明の第２実施形態によるドア用ロック装置側に後進しながらロック装置が解除されると同時に、前記外側プレート１０及び内側プレート１２に各々設置された第１発光ダイオード３１及び第２発光ダイオード３３が点灯されながら、第１光ガイド３１ａ及び第２光ガイド３３ａを通して光が外部に放射されてドアを開けて外に出ることができる。
【００４６】
このようにドアを開けて外に出た後にドアを閉じれば図示していないロック突起がドアフレーム側に突出しながら、本発明の第２実施形態によるドア用ロック装置がロックされた後に所定時間が経過すると点灯された前記第１発光ダイオード３１及び第２発光ダイオード３１が消灯される。
【００４７】
一方、帰宅して本発明の第２実施形態によるドア用ロック装置に接近すると、前記外側プレート１０に設置された赤外線感知センサー２６が人体から放射される赤外線を検出して前記マイクロプロセッサー２２に出力する。
【００４８】
これによって前記マイクロプロセッサー２２は前記発光ダイオード駆動部２４に発光制御信号を送信するため、前記発光ダイオード駆動部２４で前記第１発光ダイオード３１に電源を印加して前記第１発光ダイオード３１が発光されることによって、前記第１発光ダイオード３１から放射される光が第１光ガイド３１ａを通して外部に放射される。前記第１発光ダイオード３１が発光されることによって本発明の第２実施形態によるドア用ロック装置のキー挿入口１６にキーを容易に挿入することができる。
【００４９】
つまり、前記第１発光ダイオード３１が発光された状態でロックを解除しようとすると、前記キー挿入口１６内にキーを挿入して時計回りまたは反時計回りに回転するとロック状態が解除されるため、前記外側プレート１０に突出設置された外側取手１４を時計方回りに回転させてドアを開けて室内に入ることができる。
【００５０】
室内に入った後にドアを閉じれば本発明の第２実施形態によるドア用ロック装置がロックされた後に、所定時間が経過すると前記外側プレート１０に設置された第１発光ダイオード３１が消灯される。
【００５１】
一方、夜間に就寝するために室内のすべての電灯を消すと、前記内側プレート１２に設置された照度検出センサー２０により室内の照度を検出して前記マイクロプロセッサー２２に出力するため、前記マイクロプロセッサー２２で前記照度検出センサー２０により検出された照度検出信号と前記マイクロプロセッサー２２に既保存された基準照度データと比べて室内の照度が暗い場合に前記マイクロプロセッサー２２から発光制御信号を前記発光ダイオード駆動部２４に出力するため、前記発光ダイオード駆動部２４では前記内側プレート１２に設置された第２発光ダイオード３３に電源を印加して前記第２発光ダイオード２１を発光しながら、前記第２発光ダイオード２１から発光される光は第２光ガイド３３ａを通して室内に放射されて室内を所定の明るさで点灯する。
【００５２】
また、本発明の第２実施形態によるドア用ロック装置は、倉庫用ロック装置が自動でロックされたりまたは屋上出入口が自動でロックされたりしても倉庫内または屋上に人がいることを表示でき、夜間にキーボードまたはキー挿入口を容易に見つけることができる。
【００５３】
前記説明において、前記照度検出センサー２０を用いて夜間に室内の照度を検出して暗い場合に前記マイクロプロセッサー２２から出力される発光制御信号を受信した前記発光ダイオード駆動部２４から出力される電源によって発光ダイオード２１を発光させることを例として説明したが、本発明はこれに限定されるのではなく、例えば手動でオン／オフして、前記第１発光ダイオード３１に前記バッテリー３０の電源を印加して発光させるのも本発明の概念に含まれる。
【００５４】
本発明の第３実施形態によるドア用ロック装置について、添付図を参照して詳細に説明する。
【００５５】
図７は本発明の第３実施形態によるドア用ロック装置の全面斜視図であり、図８は図７に示したドア用ロック装置の背面図である。
【００５６】
本発明の第３実施形態によるドア用ロック装置が本発明の第２実施形態によるドア用ロック装置と異なる点は、図７及び図８に示したように前記第１発光ダイオード３１を前記外側取手１４に設置し、前記外側取手１４の全面に第１光ガイド３１ａを設置し、前記第２発光ダイオード３３を前記内側取手１８に設置し、前記内側取手１８の全面に前記第２光ガイド３３ａを設置したことである。
【００５７】
本発明の第３実施形態によるドア用ロック装置の動作説明は本発明の第２実施形態によるドア用ロック装置の動作説明と同じであるため重複する説明は省略する。
【００５８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５９】
１０      外側プレート
１２      内側プレート
１４      外側取手
１６      キー挿入口
１８      内側取手
２０      照度検出センサー
２２      マイクロプロセッサー
２１      発光ダイオード
２４      発光ダイオード駆動部
２８      キーボード
２９      音響出力手段
３０      バッテリー
３１      第１発光ダイオード
３３      第２発光ダイオード
３１ａ      第１光ガイド
３３ａ      第２光ガイド
【図１】
0005412154.tif 000002
【図２】
0005412154.tif 000003
【図３】
0005412154.tif 000004
【図４】
0005412154.tif 000005
【図５】
0005412154.tif 000006
【図６】
0005412154.tif 000007
【図７】
0005412154.tif 000008
【図８】
0005412154.tif 000009